(57)【要約】【課題】金属線を使用しないプラスチック芯材であって、屈曲状態を維持して、使用者の意図する姿勢を維持できる塑像芯材を提供する。【解決手段】金属芯を使用することなく、スチレン・ブタジエン共重合樹脂を主要成分とした一体成形品であって、屈曲変形部分５ａ，５ｂは、離散的に配置された円板部ＣＲが、所定の断面形状の軸芯部ＡＸに連結されて構成されている。【選択図】図７
2018189905.tif 000002
【特許請求の範囲】
【請求項１】
金属芯を使用することなく合成樹脂の一体成形品として、その本体部分が構成され、所定の屈曲変形部分の全部又は一部が変形された完成形状で、粘土や石膏などの付着物を安定的に保持する塑像芯材であって、
前記合成樹脂は、スチレン・ブタジエン共重合樹脂を主要成分としており、
前記屈曲変形部分は、
断面が丸型又は角型の軸芯部と、前記軸芯部から外向きに延設されたフランジ部とが、前記軸芯部の軸方向に連続することで構成されるか、
離散的に配置された円板部又は角板部が、所定の断面形状の軸芯部に連結されて構成されていることを特徴とする塑像芯材。
【請求項２】
全ての屈曲変形部分が変形されていない、塑像芯材の立設姿勢において、
屈曲変形部分は、左右一対に設けられている請求項１に記載の塑像芯材。
【請求項３】
前記屈曲変形部分は、動物の関節位置に対応して設けられている請求項１又は２に記載の塑像芯材。
【請求項４】
軸芯部とフランジ部とが軸芯部の軸方向に連続する屈曲変形部分は、
その断面が、Ｈ型形状、Ｔ型形状、十字型形状、又は、円形から十字突起が延びる十字突起形状に形成されている請求項１〜３の何れかに記載の塑像芯材。
【請求項５】
軸芯部とフランジ部とが軸芯部の軸方向に連続する屈曲変形部分は、
これを、８５°〜９５°の初期角度θに屈曲させた状態において、０．２［Ｎｍ］の荷重に抗する変位角が１０°未満である請求項４に記載の塑像芯材。
【請求項６】
前記円板部は、軸芯部を所定角度以上に屈曲させると、隣接する円板部又は角板部が接触する離間位置に配置されている請求項１〜３の何れかに記載の塑像芯材。
【請求項７】
離散的に配置された円板部又は角板部が、所定の断面形状の軸芯部に連結されて構成された屈曲変形部分は、
これを、８５°〜９５°の初期角度θに屈曲させた状態において、０．４［Ｎｍ］の荷重に抗する変位角が１０°未満である請求項１〜６の何れかに記載の塑像芯材。
【請求項８】
円板部又は角板部が離間して配置される屈曲変形部分は、その軸芯部は、
その断面が、丸型形状、角型形状、Ｈ型形状、Ｔ型形状、十字型形状、又は、円形から十字突起が延びる十字突起形状に形成されている請求項１〜７の何れかに記載の塑像芯材。
【発明の詳細な説明】
【技術分野】
【０００１】
本発明は、小学校の図画工作科の教材として好適な塑像芯材に関し、特に金属線を使用することなく主要部が完成された一体成形品の塑像芯材に関する。
【背景技術】
【０００２】
この種の塑像芯材として、所定の強度を有する針金を使用したものが最初に普及した。この塑像芯材では、生徒自身が針金に荒縄などを巻き付けることで、胴体部の膨らみを形成し、その荒縄の上に、粘土や石膏などを付着させていた。
【０００３】
その後、荒縄などの巻き付け作業を解消するべく、ブロー成形されたプラスチック芯材（特許文献１）や、インジェクション成形されたプラスチック芯材（特許文献２）が提案された。
【０００４】
但し、ブロー成形品だけでは、屈曲変形可能な塑像芯材を完成させることはできないので、ブロー成形された頭部＋胸部＋腕部＋脚部の本体部に、所定強度の針金を貫通させることで塑像芯材を完成させていた。この場合には、頭部と胸部と腕部と脚部の各連結部が屈曲変形箇所となる。
【先行技術文献】
【特許文献】
【０００５】
【特許文献１】実開平０２−１０７１７４号公報
【特許文献２】実開平０３−１０５８７２号公報
【特許文献３】特開平０８−１４２５９６号公報
【発明の概要】
【発明が解決しようとする課題】
【０００６】
しかし、上記の構成では、針金を貫通させる手作業が必要な分だけ、製造コストが上がるという問題があった。また、ブロー成形品の連結箇所である、針金の同一箇所を、繰り返し屈曲させることになるので、屈曲箇所が折れてしまうという問題もあった。
【０００７】
一方、特許文献２のように、針金を使用しないプラスチック芯材の場合には、ポリプロピレン樹脂の強い姿勢復元力のため、ヒジやヒザや肩などの屈曲部分を、所望の屈曲状態に維持できないという問題があった（特許文献３参照）。
【０００８】
本発明は、上記の問題点に鑑みてなされたものであって、金属芯を使用しないプラスチック芯材であって、屈曲状態を維持して、使用者の意図する姿勢を維持でき、少なくとも、主要部がインジェクション成形などの一体成形品である塑像芯材を提供することを目的とする。
【課題を解決するための手段】
【０００９】
上記の目的を達成するため、本発明は、金属芯を使用することなく合成樹脂の一体成形品として、その本体部分が構成され、所定の屈曲変形部分の全部又は一部が変形された完成形状で、粘土や石膏などの付着物を安定的に保持する塑像芯材であって、前記合成樹脂は、スチレン・ブタジエン共重合樹脂を主要成分としており、前記屈曲変形部分は、断面が丸型又は角型の軸芯部と、前記軸芯部から外向きに延設されたフランジ部とが、前記軸芯部の軸方向に連続することで構成されるか、離散的に配置された円板部又は角板部が、所定の断面形状の軸芯部に連結されて構成されている。
【発明の効果】
【００１０】
上記した本発明によれば、金属芯を使用しないプラスチック芯材であって、屈曲状態を維持して、使用者の意図する姿勢を維持できる塑像芯材を実現することができる。
【図面の簡単な説明】
【００１１】
【図１】実施例に係る塑像芯材ＦＲを示す斜視図である。
【図２】実施例に係る塑像芯材ＦＲの正面図、右側面図、及び背面図である。
【図３】塑像芯材ＦＲの使用手順その他を説明する図面である。
【図４】軸部材の構成を説明する図面である。
【図５】塑像芯材ＦＲの屈曲変形部分の構成を説明する図面である。
【図６】肘関節についての耐荷重安定性を説明する図面である。
【図７】膝関節についての耐荷重安定性を説明する図面である。
【発明を実施するための形態】
【００１２】
以下、実施例について更に詳細に説明する。先ず、図１は、実施例に係る塑像芯材ＦＲを示す斜視図であり、人体形状の塑像芯材ＦＲについて、正面側斜視図（ａ）と、背面側斜視図（ｂ）とを示している。また、図２は、塑像芯材ＦＲの正面図（ａ）、右側面図（ｂ）、及び、背面図（ｃ）であり、図３は、塑像芯材ＦＲの使用手順などを説明する図面である。
【００１３】
この塑像芯材ＦＲは、金属線を使用することなく合成樹脂の一体成形品として、インジェクション成形（射出成形）によってヒト形状に構成されている。合成樹脂としては、一種類のスチレン・ブタジエン共重合樹脂、又は複数種類のスチレン・ブタジエン共重合樹脂の所定混合比による混合物が、全体の９０重量％以上（残り樹脂添加剤）の組成比で使用される。なお、好適には、スチレン・ブタジエン共重合樹脂の組成比は、材料全体の９５重量％以上である。
【００１４】
このように、本実施例では、スチレン・ブタジエン共重合樹脂を使用するので、分散されたポリブタジエン部分によって、適度なゴム弾性が発揮され、且つ、折り曲げを繰り返しても破断しない適度な耐久性（ヒンジ特性）が発揮される。例えば、先行文献３のようにポリプロピレン樹脂を使用した場合には、その姿勢復元力の強さのため、所望の屈曲状態に維持できず、且つ、その強度ゆえの脆さのためにヒンジ特性に劣るが、その欠点がスチレン・ブタジエン共重合樹脂を使用することで解消された。
【００１５】
図１に示す通り、実施例の塑像芯材ＦＲは、頭部１と、胸部２と、臀部３とで構成された本体部ＢＤＹに、腕部４と、脚部５の周辺骨格部が、左右対称位置に連設されて構成されている。また、頭部１と胸部２とは、ネック部６を通して接続され、胸部２と臀部３とは、背骨７を経由して接続されている。
【００１６】
このような骨格形状の塑像芯材ＦＲが、小学校の図画工作科の教材として活用される場合には、各児童が、各部を適宜に屈曲させて所望の姿勢に変形した塑像芯材ＦＲを、図３（ａ）に示す装着基盤ＢＳに固定する（図３（ｂ）参照）。次に、塑像芯材ＦＲの全体に、粘土や石膏などの付着物を装着させ（図３（ｃ）参照）、最後に付着物を適宜に着色することで完成状態となる。
【００１７】
かかる使用態様に関連して、腕部４と脚部５の先端には、装着基盤ＢＳの挿入穴ＨＯに対応した装着部８，９が各一対ずつ形成されている。図１や図２に示す通り、装着部８，９は、突出部ＰＲと円盤フランジ部ＤＳＫとで構成されており、突出部ＰＲを、挿入穴ＨＯ（図３（ａ））の限界位置まで差し込むと、円盤フランジ部ＤＫＳが、装着基盤ＢＳの平坦面に当接されて挿入姿勢が安定化される。
【００１８】
但し、全４箇所の装着部８，９を、全て活用する必要はなく、例えば、片足立ちしたい場合には、装着部９，９の一方が挿入穴ＨＯに差し込まれ（図３（ｂ）参照）、両足立ちしたい場合には、適宜に開脚した状態で、一対の装着部９，９が挿入穴ＨＯに差し込まれる。同様に、両手倒立や片手倒立の姿勢をとりたい場合には、装着部８，８の一方又は双方が使用される。
【００１９】
図１（ａ）に示す通り、頭部１は、前方側に膨らんだ前頭部１ａと、前頭部１ａから後方側に延びる複数枚の楕円板１ｂとで、全体として、卵状の輪郭を形成している。
【００２０】
一方、胸部２は、前方側に延びる左右複数枚の略１／４円板２ａと、後方側に延びる左右の矩形板２ｂとで、前方に隆起する胸の輪郭を形成している。
【００２１】
臀部３は、本体板３ａを中心として、前方側にわずかに突出する円弧フランジ３ｂと、後方側にやや大きく突出する左右一対の山型フランジ３ｃ，３ｄと、山型フランジ３ｃ，３ｄの上部位置において後方側に突出する峰フランジ３ｅと、を有して構成されている。そして、やや大きく突出する山型フランジ３ｃ，３ｄと、それより小さく突出する峰フランジ３ｅとで、後方側に膨らむ臀部の輪郭を形成している。
【００２２】
また、臀部３には、図２（ｃ）に示すように、複数の貫通穴ＩＮが設けられており、図３（ｄ）に示す補助部材ＡＵＸの先端突起Ｔｉｐを受け入れることで、図３（ｅ）に示すような浮遊姿勢が実現できるようになっている。
【００２３】
また、本実施例では、胸部２と臀部３とを接続する屈曲形状の連結ラインＬＮが左右対称に設けられている。連結ラインＬＮは、胸部２に接続された上方部ＬＮａと、臀部３に接続された下方部ＬＮｂと、上部ＬＮａと下方部ＬＮｂとを接続する円弧部ＬＮｃと、で構成されている。
【００２４】
そして、臀部３に対して胸部２を左右方向に変位させた場合、つまり、背骨７を左右方向に曲げた場合には、左右の連絡ラインＬＮ，ＬＮが、適宜に収縮変形することで、自由な変形姿勢を実現可能にしている（図３（ｆ）参照）。
【００２５】
次に、腕部４は、上腕４１と前腕４２に大別され、肩関節４ａを経由して胸部２に連結されている。また、上腕４１と前腕４２は、肘関節４ｂによって連結されている。
【００２６】
一方、脚部５は、大腿５１と、下腿５２とに大別され、股関節５ａを経由して、臀部３に連結されている。また、太腿５１と下腿５２は、膝関節５ｂによって連結されている。
【００２７】
上記の構成において、典型的な屈曲変形部分（以下、典型屈曲部という）は、ネック部６と、背骨７と、肩関節４ａと、肘関節４ｂと、股関節５ａと、膝関節５ｂとである。そこで、本実施例では、これらの典型屈曲部については、屈曲変形が容易で、且つ、屈曲姿勢における安定性（耐荷重安定性）に優れた構成を採っている。
【００２８】
典型屈曲部のうち、先ず、ネック部６は、この箇所が特段の荷重を受けないことを考慮して、軸芯が、図４（ａ）に示す円柱形状としている。具体的には、直径２．０〜４．０ｍｍ程度の丸棒であって、直径：長さ＝１：３〜１：９程度の寸法に形成することで、任意角度の屈曲変形が容易化されている。但し、何ら、円形断面に限定されず、楕円断面や、三角形（図４（ｂ））などの多角形断面を有する棒材であっても良い。
【００２９】
また、本実施例では、背骨７は、胸部２や臀部３より幅狭に形成されており、具体的には、図４（ｅ）に示すような断面十字状に形成されている。すなわち、典型屈曲部たる背骨７は、断面が丸型又は角型の軸芯部と、軸芯部から外向き４方向に延設されたフランジ部とで構成されている。
【００３０】
なお、図４（ｅ）では、９０°間隔の４方向の突出高さが、全て同一に作図されているが、突出高さを適宜に増減することで、屈曲容易性を調整することができる。例えば、幅方向を大きく広げると、上腕４や前腕５の構成となり、容易には変形しない屈強な骨格を実現することできる。
【００３１】
なお、背骨７の構成は、何ら、断面十字状である必要はなく、例えば、図４（ｃ）に示すような断面Ｈ字状や、図４（ｄ）に示すような断面Ｔ字状であっても良い。断面Ｈ字状の典型屈折部は、角型の軸芯部と、角型の軸芯部の両端から、軸芯部に直交して双方向に延設されたフランジ部とで構成されている。
【００３２】
また、断面Ｔ字状の典型屈折部は、角型の軸芯部と、角型の軸芯部の中央から軸芯部に直交して一方向に延設されたフランジ部とで構成されている。
【００３３】
典型屈曲部の断面形状が、断面Ｈ字状や断面Ｔ字状の場合、紙面と同一平面での屈曲より、紙面と直交方向への屈曲が容易となり、このような構成を採用した場合には、図２の左右方向への屈曲姿勢より、前屈姿勢の方が容易な背骨７を実現することができる。
【００３４】
また、低学年の児童でも容易に屈曲できるよう、図４（ａ）の円柱形状と、図４（ｅ）の十字形状との中間的な形状を採ることもできる。図４（ｆ）は、このような形状を例示したものであり、十字状の突出片（フランジ部）の中心に、円柱芯（軸芯部）を設けた形状を示している。
【００３５】
図４（ｆ）の構成は、その屈曲容易性において、図４（ａ）の構成と図４（ｅ）の間に位置し、また、屈曲姿勢における安定性（耐荷重安定性）が、図４（ａ）の構成より優れている。そこで、本実施例では、肘関節４ｂについては、図４（ｆ）に示す、断面が十字突起形状の棒材を使用している。具体的には円柱芯の直径は、２．０〜４．０ｍｍ程度であって、突出片の突出高さは、円柱芯の半径程度、肘関節部の長さは、円柱芯の直径の５倍〜１０倍程度の寸法に設定されている。
【００３６】
ところで、断面が十字突起形状の棒材（図４（ｆ））の場合、屈曲変形が容易である反面、不適切な変形操作が繰り返されると、その変曲点が破断するおそれがある。例えば、変曲点に爪を立てて、直角又はそれ以上の屈曲変形がされると、蘇生可能な湾曲変形を超えた破壊変形となり、素材にストレスを残してしまうことになる。
【００３７】
そこで、児童が繰り返し屈曲変形すると思われる肩関節４ａ、股関節５ａ、及び、膝関節５ｂについては、上記した破壊変形を回避する構成が採られている。具体的には、図５に示す通りであり、軸部材ＡＸの周りにリング状のフランジＣＲを設け、このようなリング状フランジＣＲを所定間隔で配置している。
【００３８】
リング状フランジＣＲ，ＣＲの離間距離は、破壊変形を防止するための距離であり、無理に折り曲げようとすると隣接するリング状フランジＣＲ，ＣＲが当接することで、それ以上の折り曲げを防止している（図５（ｇ）参照）。
【００３９】
ここで、軸部材ＡＸの断面形状は、特に限定されず、図４（ａ）〜図４（ｆ）の断面とすることができる。また、リング状フランジの個数も特に限定されないが、両端のリング状フランジを含めて３〜１０個程度が適当である。また、リング状フランジＣＲの直径は、８ｍｍ〜１２ｍｍ程度であるのが好ましく、軸部材ＡＸの最大径（Ｈ型、Ｔ型、十字型、十字突起型の最大幅）は、リング状フランジＣＲの直径の４０％〜８０％であるのが望ましい。
【００４０】
以上の通り、本実施例では、スチレン・ブタジエン共重合樹脂９０重量％以上による一体成形品とすると共に、典型屈曲部（６，７，４ａ，４ｂ，５ａ，５ｂ）に、図４又は図５に示す構成を採用することで、屈曲変形が容易で、且つ、屈曲姿勢における優れた安定性（耐荷重安定性）を実現している。
【００４１】
図６と図７は、肘関節４ｂと、膝関節５ｂについて、耐荷重安定性を確認した実験結果を示している。なお、供試サンプルを変えて、同種の実験を繰り返したが、その代表一例だけを図示している。
【００４２】
先ず、肘関節４ｂの確認実験では、肘関節４ｂの中央部分を約９０°屈曲させた状態で、上腕部４１をバイス（万力）で固定し、屈曲点から５０ｍｍの点に荷重を加えて、耐荷重安定性を確認した。なお、何れの供試サンプルも同一構成の肘関節４ｂであり、その断面が十字突起形状（図４（ｆ））であって、円柱芯の直径が２．５ｍｍ程度、突出片の突出高さが０．７５ｍｍ程度である。
【００４３】
このような構成の肘関節４ｂにおいて、図６に示す典型実験では、荷重ゼロ（計測皿などプラスチック部品の総重量３．８ｇ）の状態で、屈曲角度が約９０°であり、その後、荷重を徐々に増加させると、荷重３５ｇの状態で、屈曲角度が約９５°となった。
【００４４】
荷重位置は、屈曲点から５０ｍｍであるので、モーメントは、（３５＋３．８）／１０００＊５０／１００＊９．８＝０．１９［Ｎｍ］であり０．１９［Ｎｍ］の荷重に抗する変位角が５°（＝９５°−９０°）となる耐荷重安定性が確認された。
【００４５】
図６と同様の実験を繰り返したが、ほぼ同等の耐荷重安定性が確認されており、８５°〜９５°の初期角度θに設定した肘関節４ｂは、０．２［Ｎｍ］の荷重に抗する変位角が１０°未満であると確認された。なお、初期角度θ＝８８°〜９２°の場合には、０．２［Ｎｍ］の荷重に抗する変位角が８°未満となる。
【００４６】
一方、膝関節５ｂの確認実験では、膝関節５ｂの中央部分を約９０°屈曲させた状態で、大腿部５１をバイスで固定し、屈曲点から８０ｍｍの点に荷重を加えて、耐荷重安定性を確認した。
【００４７】
なお、何れの供試サンプルも同一構成の膝関節５ｂであり、軸部材ＡＸの断面が十字突起形状（図４（ｆ））であって、円柱芯の直径が２．５ｍｍ程度、突出片の突出高さが１．２ｍｍ程度である。また、リング状フランジＣＲの直径が１０ｍｍ程度であるので、軸部材ＡＸの最大径は、リング状フランジＣＲの直径の５０％程度である。
【００４８】
このような構成の膝関節５ｂにおいて、図７に示す実験では、荷重ゼロ（計測皿などプラスチック部品の総重量３．８ｇ）の状態で、屈曲角度が約９４°であり、その後、荷重を徐々に増加させると、荷重５０ｇの状態で、屈曲角度が約１０１°となった。
【００４９】
荷重位置は、屈曲点から８０ｍｍであるので、モーメントは、（５０＋３．８）／１０００＊８０／１００＊９．８＝０．４２［Ｎｍ］であり、０．４２Ｎｍの荷重に抗する変位角が７°（＝１０１°−９４°）となる耐荷重安定性が確認された。
【００５０】
図７と同様の実験を繰り返したが、ほぼ同等の耐荷重安定性が確認されており、８５°〜９５°の初期角度θに設定した膝関節５ｂは、０．４０［Ｎｍ］の荷重に抗する変位角が１０°未満であることが確認された。なお、初期角度θが狭いほど（θ＜９０°）、耐荷重安定性に優れ、初期角度θ＝８８°〜９２°の場合には、０．４［Ｎｍ］の荷重に抗する変位角が７°未満となる。
【００５１】
上記した何れの性能も、紙粘土などの付着物を保持する耐荷重性能としては十分であり、児童が意図する屈曲姿勢を正確に維持することができる。
【００５２】
以上、本発明の実施例について詳細に説明したが、具体的な記載内容は、特に本発明を限定するものではない。例えば、実施例では、一の成形品として合成樹脂製の本体部分たる塑像芯材を完成させているが、本体部分に加えて、金属などの追加部材を必要とする塑像芯材であっても良い。具体的には、例えば、手に貫通穴を設けることで、金属棒を保持させる構造をとっても良いのは勿論である。
【００５３】
また、完全一体品ではなく、本体部ＢＤＹ（本体部分）と、周辺骨格部とを別々に一体成形し、一体成形品を組み立てて塑像芯材を完成させても良い。なお、便宜上、塑像との用語を用いているが、実在する動物や植物の骨格や芯の形状を構成するものに限定されず、アニメや童話などの登場人物や、単なる抽象形状であっても良いのは勿論である。
【００５４】
以上、実施例について、詳細に説明したが、具体的な記載内容は、何ら本発明を限定するものではなく、適宜に変更可能である。例えば、図４では、リング状フランジとして、円板ＣＲを例示したが、楕円板だけでなく、多角形状の角板であってもよいのは勿論である。
【符号の説明】
【００５５】
ＦＲ  塑像芯材
４ｂ，５ａ，５ｂ，７  屈曲変形部分
ＣＲ    円板部
【図１】
2018189905.tif 000003
【図２】
2018189905.tif 000004
【図３】
2018189905.tif 000005
【図４】
2018189905.tif 000006
【図５】
2018189905.tif 000007
【図６】
2018189905.tif 000008
【図７】
2018189905.tif 000009